(57)【要約】【課題】ボイラなどを含む水温調節設備の日中稼動を低減しながら、特に冬期日中における温浴水の温度低下を抑制する。【解決手段】所定範囲の温度に調節された温浴水が蓄えられる温浴槽２を備えた温浴室１と、温浴槽２内の温浴水を熱交換器７１との間で循環させる温浴水循環系５と、を有する室内温浴関連施設に適用する空気流通システムである。温浴槽２は、コンクリートなどの遮水材料から形成される中空枠体２１の内側に所定の深さを有する温水貯蔵部２２を設けて成る。中空枠体２１の上面部は施設利用者の通行が可能な床板部２１ｃとされ、中空枠体２１の内部は温水貯蔵部２２を取り囲むダクトチャンバ２４とされる。ダクトチャンバ２４には、該ダクトチャンバ内に調和空気を送り込む空調装置３が接続される。【選択図】図１
2010101601.tif 000002
【特許請求の範囲】
【請求項１】
所定範囲の温度に調節された温浴水が蓄えられる温浴槽を備えた温浴室と、前記温浴槽内の温浴水を水温調節部との間で循環させる温浴水循環系と、を有する室内温浴関連施設において、
前記温浴槽は、コンクリートなどの遮水材料から形成される中空枠体の内側に所定の深さを有する温水貯蔵部を設けて成り、
前記中空枠体の上面部は施設利用者の通行が可能な床板部とされると共に、前記中空枠体の内部は前記温水貯蔵部を取り囲む調和空気流通用のダクトチャンバとされ、
前記ダクトチャンバには、該ダクトチャンバ内に調和空気を送り込む空調装置が接続されていることを特徴とする室内温浴関連施設の空気流通システム。
【請求項２】
前記中空枠体には、その上面部を成す床板部上の領域にて前記温浴室内に開口する送風口が形成され、その送風口を通じて前記ダクトチャンバ内の調和空気が前記温浴室内に供給される構成とされていることを特徴とする請求項１記載の室内温浴関連施設の空気流通システム。
【請求項３】
前記温浴室に当該室内空気を吸い込む吸気口が形成され、その吸気口と前記空調装置が還気ダクトで連結されていることを特徴とする請求項２記載の室内温浴関連施設の空気流通システム。
【請求項４】
所定範囲の温度に調節された温浴水が蓄えられる温浴槽を備えた温浴室と、前記温浴槽内の温浴水を水温調節部との間で循環させる温浴水循環系と、を有する室内温浴関連施設において、
前記温浴槽は、コンクリートなどの遮水材料から形成される中空枠体の内側に所定の深さを有する温水貯蔵部を設けて成り、
前記中空枠体の上面部は施設利用者の通行が可能な床板部とされると共に、前記中空枠体の内部は前記温水貯蔵部を取り囲む温熱空気流通用のダクトチャンバとされ、
前記ダクトチャンバには、該ダクトチャンバ内に温熱空気を送り込む空気加熱器が接続されていることを特徴とする室内温浴関連施設の空気流通システム。
【請求項５】
前記中空枠体には、その上面部を成す床板部上の領域にて前記温浴室内に開口する送風口が形成され、その送風口を通じて前記ダクトチャンバ内の温熱空気が前記温浴室内に供給される構成とされていることを特徴とする請求項４記載の室内温浴関連施設の空気流通システム。
【請求項６】
前記温浴室に当該室内空気を吸い込む吸気口が形成され、その吸気口と前記空気加熱器が還気ダクトで連結されていることを特徴とする請求項５記載の室内温浴関連施設の空気流通システム。
【請求項７】
前記ダクトチャンバには、該ダクトチャンバと前記温水貯蔵部とを隔てる内壁部に対向する外壁部と、前記床板部に対向する底面部との内面を覆う断熱層が形成されていることを特徴とする請求項１〜６のいずれかに記載の室内温浴関連施設の空気流通システム。
【請求項８】
前記ダクトチャンバ内に、前記温浴室内の温浴水を循環させるための配管が敷設されていることを特徴とする請求項１〜７のいずれかに記載の室内温浴関連施設の空気流通システム。
【請求項９】
前記温浴室の上方に形成される天井裏の気圧を温浴室内の気圧よりも高くする気圧調節手段を備えることを特徴とする請求項１〜８のいずれかに記載の室内温浴関連施設の空気流通システム。
【請求項１０】
前記気圧調節手段は、前記温浴室とは別の空調空間内の排気を前記天井裏に導く通気ダクトを有して成ることを特徴とする請求項９記載の室内温浴関連施設の空気流通システム。
【発明の詳細な説明】
【技術分野】
【０００１】
本発明は、室内温水プールや大衆浴場などの室内温浴関連施設に係わり、特にプール室や浴室といった温浴室に設けられる温浴槽に蓄えられた温浴水を適温に維持できるようにした室内温浴関連施設の空気流通システムに関する。
【背景技術】
【０００２】
従来、室内温浴関連施設として、季節を問わず遊泳することのできる室内温水プールが普及している。係る室内温水プールは、水温を一定に維持するためにプール水（温浴水）を濾過装置との間で循環させながら、その循環系に介在される熱交換器（温度調節部）に通して加温するようにしているが、夏期において水温が過度に高くなった場合、熱交換器に地下水などの冷水を通してプール水の温度上昇を抑制することも行われている（例えば、特許文献１）。
【０００３】
【特許文献１】特開２００３−３３６９０１号公報
【発明の開示】
【発明が解決しようとする課題】
【０００４】
しかしながら、従来の室内温水プールをはじめとする室内温浴関連施設では、日中の営業時間帯において温浴水の循環系に介在される熱交換器に熱水を供給するボイラやポンプなどを連続運転しながら、室内空調設備の連続運転を行っているため、化石燃料や電力を多量に消費してしまい、かかるコストを施設利用費に転嫁できずに施設運営が厳しさを増している。
【０００５】
本発明は以上のような事情に鑑みて成されたものであり、その主たる目的はボイラなどを含む水温調節設備の日中稼動を低減しながら、温浴水の温度変動を抑制できるようにすることにある。
【課題を解決するための手段】
【０００６】
本発明は上記目的を達成するため、
所定範囲の温度に調節された温浴水が蓄えられる温浴槽を備えた温浴室と、前記温浴槽内の温浴水を水温調節部との間で循環させる温浴水循環系と、を有する室内温浴関連施設において、
前記温浴槽は、コンクリートなどの遮水材料から形成される中空枠体の内側に所定の深さを有する温水貯蔵部を設けて成り、
前記中空枠体の上面部は施設利用者の通行が可能な床板部とされると共に、前記中空枠体の内部は前記温水貯蔵部を取り囲む調和空気（又は温熱空気）流通用のダクトチャンバとされ、
前記ダクトチャンバには、該ダクトチャンバ内に調和空気（又は温熱空気）を送り込む空調装置（又は空気加熱器）が接続されていることを特徴とする。
【０００７】
加えて、前記中空枠体には、その上面部を成す床板部上の領域にて前記温浴室内に開口する送風口が形成され、その送風口を通じて前記ダクトチャンバ内の調和空気（又は温熱空気）が前記温浴室内に供給される構成とされていることを特徴とする。
【０００８】
更に、前記温浴室に当該室内空気を吸い込む吸気口が形成され、その吸気口と前記空調装置（又は空気加熱器）が還気ダクトで連結されていることを特徴とする。
【０００９】
又、前記ダクトチャンバには、該ダクトチャンバと前記温水貯蔵部とを隔てる内壁部に対向する外壁部と、前記床板部に対向する底面部との内面を覆う断熱層が形成されていることを特徴とする。
【００１０】
又、前記ダクトチャンバ内に、前記温浴室内の温浴水を循環させるための配管が敷設されていることを特徴とする。
【００１１】
一方、前記温浴室の上方に形成される天井裏の気圧を温浴室内の気圧よりも高くする気圧調節手段を備え、好ましくは前記気圧調節手段が前記温浴室とは別の空調空間内の排気を前記天井裏に導く通気ダクトを有して成ることを特徴とする。
【発明の効果】
【００１２】
本発明によれば、温浴槽が内側に温水貯蔵部をもつ中空枠体から成り、その中空枠体の内部が温水貯蔵部を取り囲むダクトチャンバとされ、該ダクトチャンバ内に空調装置もしくは空気加熱器から調和空気もしくは温熱空気が送り込まれる構成としていることから、日中に比べて廉価な深夜電力を利用して水温調節設備を稼動することにより温浴水を適温にしながら、日中の営業時間帯において温水貯蔵部を取り囲むダクトチャンバ内の調和空気もしくは温熱空気により、温水貯蔵部内の温浴水の温度変動を抑制することができる。このため、日中の営業時間帯における水温調節設備の運転を減らして施設運営にかかる経費を大幅に削減することが可能となる。
【００１３】
加えて、中空枠体にはその上面部を成す床板部上の領域にて温浴室内に開口する送風口が形成されることから、その送風口から吹き出す調和空気もしくは温熱空気により温浴室内を適温に維持することができる。特に、冬期において、ダクトチャンバ内に調和空気として温熱空気を送り込むことにより、施設利用者が通行する床板部を伝熱加熱することができるので足が冷えてしまうことがなく、しかも温浴水面上が温熱空気により覆われるため、ダクトチャンバとの相乗作用により温浴水の保温効果が上がる。
【００１４】
又、温浴室に当該室内空気を吸い込む吸気口が形成され、その吸気口と空調装置もしくは空気加熱器が還気ダクトで連結されることから、調和空気もしくは温熱空気の循環使用により空調装置や空気加熱器にかかる負荷を軽減することができる。
【００１５】
更に、ダクトチャンバには、該ダクトチャンバと温水貯蔵部とを隔てる内壁部に対向する外壁部と、床板部に対向する底面部との内面を覆う断熱層が形成されることから、中空枠体を温浴室の外側から断熱しながら、ダクトチャンバ内の空気熱を温浴槽内の温浴水や床板部に好適に作用せしめることができる。
【００１６】
又、ダクトチャンバ内に、温浴槽内の温浴水を循環させるための配管が敷設されていることから、冬期においても温浴水の循環中にその水温が低下することを抑制することができ、ひいては既設の水温調節設備にかかる負荷を軽減することができる。
【００１７】
一方、温浴室の上方に形成される天井裏の気圧を温浴室内の気圧よりも高くする気圧調節手段を備える態様では、天井裏に湿気を侵入させずして天井裏内における建築構造体の腐食を防止することができる。
【００１８】
特に、気圧調節手段として、温浴室とは別の空調空間内の排気を天井裏に導く通気ダクトを有していることから、天井裏を夏期に冷却し、冬期には逆に加温して温浴室の空調を低負荷で行うことが可能となる。
【発明を実施するための最良の形態】
【００１９】
以下、図面に基づいて本発明を詳しく説明する。図１は本発明に係る室内温浴関連施設として室内温水プール施設の縦断面を概略的に示した説明図である。図１において、１は温浴室であり、その下部全域にプール本体として温浴水を蓄える温浴槽２が構築されている。尚、図２には温浴室２の平面概略図が示される。
【００２０】
温浴槽２は、遮水性を有するコンクリートにより築造される方形状の中空枠体２１を周縁構造として、その内側に所定の深さを有する温水貯蔵部２２を設けて成るもので、その温水貯蔵部２２に温浴水が満たされる構成とされている。
【００２１】
中空枠体２１は、温水貯蔵部２２を区画する内壁部２１ａ、この内壁部２１ａに対向する外壁部２１ｂ、上面部を成す床板部２１ｃ、及び床板部２１ｃに対向する底面部２１ｄ、を形成する方形状の縦断面をもつコンクリート構造物であり、その上面部を成す床板部２１ｃはその上を施設利用者（遊泳者）が通行することが可能な幅を有している。又、中空枠体２１には床板部２１ｃを部分的に隆起させた凸部２１ｅが形成され、その上面に温浴室１内に開口する送風口２３が形成されており、この送風口２３を介して中空枠体２１の内部と温浴室１内が連通する構成とされている。
【００２２】
ここに、中空枠体２１の内部は温水貯蔵部２２を取り囲むダクトチャンバ２４とされ、そのダクトチャンバ２４内に温浴室１の外部から調和空気が送り込まれる構成とされている。そして、ダクトチャンバ２４内に送り込まれた調和空気が当該ダクトチャンバ２４内に充満し、その一部が送風口２３を通じて温浴室１内に供給される一方、温浴室１の室内空気が当該温浴室１に設けた吸気口１１を通じて温浴室１の外部に吸い出されるようになっている。尚、ダクトチャンバ２４には、外壁部２１ｂと底面部２１ｄとの内面を覆う断熱層２５（ウレタンフォームやグラスウールなど）が形成され、これにより調和空気の熱が内壁部２１ａと床板部２１ｃに効果的に作用し、冬期においては床板部２１ｃの加温が行われる。
【００２３】
３は上記ダクトチャンバ２４内に調和空気を送り込む送風源となる公知の空調装置３であり、これは温浴室１に隣接する空調機室４に設置されている。空調機室４の外壁には、外気取込口４１と排気口４２とが設けられ、このうち外気取込口４１と空調装置３の吸込口が吸気ダクトＤ１で連結されると共に、空調装置３の吹出口とダクトチャンバ２４内が送風ダクトＤ２により連結連通されている。又、空調装置３の吸込口と温浴室１の吸気口１１は還気ダクトＤ３により連結されている。尚、還気ダクトＤ３には排気ファンＦを介在させた排気ダクトＤ４の一端が分岐状態に接続され、その他端が上記排気口４２に接続されている。そして、外気取込口４１から取り込まれた外気が空調装置３により温湿度を調節され、これが調和空気（夏期は冷気、冬期は温熱空気）として送風ダクトＤ２からダクトチャンバ２４内に吹き込まれると共に、ダクトチャンバ２４内の調和空気が送風口２３を通じて温浴室１内に供給されるようになっている。このため、ダクトチャンバ２４により取り囲まれた温水貯蔵部２２内の温浴水は、調和空気の作用により夏期には過度な温度上昇を抑制され、冬期には温度低下を抑制される。尚、温浴室１内の室内空気は、吸気口１１から排気ダクトＤ４を通じて屋外に排出されるほか、還気ダクトＤ３を通じて空調装置３からダクトチャンバ２４内に送り込まれて循環使用される。このため、温浴室１内を換気しながら空調装置３にかかる負荷を軽減することができる。
【００２４】
一方、図１において、５は温浴水を循環させるための温浴水循環系であり、この温浴水循環系５は、温浴水を通す管路５１により構成されている。特に、管路５１の大部分は復路配管５１ａおよびオーバー水回収配管５１ｂとしてダクトチャンバ２４内に敷設されると共に、管路５１にはダクトチャンバ２４の外部において、循環ポンプＰ、濾過装置６、ならびに熱交換器７１（水温調節部）が介在される。そして、温水貯蔵部２２の底部から吸い出された温浴水が濾過装置６により濾過され、次いで熱交換器７１を通じて温度調節（主として加熱）された後、復路配管５１ａから温水貯蔵部２２に戻されるようになっている。尚、７２は熱交換器７１に加熱蒸気や熱水といった加熱媒体を供給する熱源装置（例えば、ボイラ）であり、この熱源装置７２は熱交換器７１と配管接続されて水温調節設備７を構成するが、夏期などにおいて過度に高くなった温浴水の温度を低下させるため、熱交換器７１に冷水などを供給する冷熱源を配管接続し、その冷熱源と熱源装置７２とを必要に応じて切換え運転する場合もある。又、温水貯蔵部２２からオーバーフローした温浴水は、床板部２１ｃに形成されるピット２６からオーバー水回収配管５１ｂを通じて図示せぬ貯水タンクに回収されるが、その貯水タンクに回収された温浴水も濾過装置６を経て温水貯蔵部２２に戻される。
【００２５】
次に、図１に示される空調空間８について説明すると、空調空間８は温浴室１に隣接する脱衣室、事務室、控え室、あるいは教室などであり、その室内が全熱交換器８１により空調される構成とされている。空調空間８の天井部には、換気扇８２、給気口８３、及び排気口８４があり、給気口８３からは全熱交換器８１により所定の温湿度に調節された外気が空調空間８内に供給され、空調空間８内の空気は排気口８４から外部に排出されるようになっている。特に、排気口８４からの排気は、全熱交換器８１を通じて空調空間８内に供給すべき外気と熱交換した後、全熱交換器８１から通気ダクトＤ５を通じて温浴室１上の天井裏９に導かれる。尚、天井裏９には屋外に開口する排気口９１が設けられるが、天井裏９の気圧は全熱交換器８１の排気圧力により温浴室１内の気圧よりも若干高くされる。つまり、全熱交換器８１及び通気ダクトＤ５は、温浴室１上の天井裏９の気圧を温浴室１内の気圧よりも高くする気圧調節手段を構成する。このため、温浴室１からその上の天井裏９に湿気が侵入せず、天井裏９における建築構造体の腐食が防止され、ひいては天井材が温浴室１内に脱落することを防止することができる。
【００２６】
ここで、上記のように構成される室内温浴関連施設の空気流通システムに係る作用を説明する。先ず、温浴水は水温調節設備７の夜間運転（例えば深夜電力料金が適用される午後１０時〜午前８時）により温度が例えば３０℃とされる。一方、日中には水温調節設備７の運転が停止された状態で、温浴水循環系５による温浴水の循環濾過が行われるほか、全熱交換器８１を含む空調装置３などの運転により温浴室１や空調空間８の空調が行われる。空調装置３は、ダクトチャンバ２４内に対し、夏期において例えば温浴水の温度と同じ３０℃の調和空気を送り込み、冬期では温浴水の温度よりも高い温度（例えば４０℃）の調和空気を送り込む。ダクトチャンバ２４内の調和空気は温水貯蔵部２２内の温浴水を保温する空気断熱層として機能し、しかも温浴室１が送風口２３から供給される調和空気により空調され、その調和空気により温浴水の水面が覆われるため、夏期において温浴水の過度な温度上昇は抑制され、冬期においては温浴水の温度低下が抑制される。尚、冬期において、４０℃に設定された調和空気をダクトチャンバ２４内に送り込んでも、その調和空気は内壁部２１ａや床板部２１ｃによる吸熱により温浴室１内に対して３２℃程度となって供給される。このため、温浴室１内は冬期でも快適な温度に維持され、しかも床板部２１ｃにおいては調和空気からの吸熱によりその表面温度が上昇するために、施設利用者が床板部２１ｃ上を通行するに際して足が冷えない。
【００２７】
又、温浴水は温浴水循環系５により常時循環されるが、温浴水循環系５を構成する復路配管５１ａやオーバー水回収配管５１ｂがダクトチャンバ２４内に敷設されることから、冬期においても日中における水温調節設備７の運転を行わずして循環中の温浴水の温度低下を抑制することができる。
【００２８】
更に、温浴室１の室内空気はその多くが還気ダクトＤ３を通じて循環使用され、しかも全熱交換器８１の排気として、温浴室１上の天井裏９に通気ダクトＤ５を通じて夏期に冷気、冬期には温熱空気が供給されるため、空調装置３にかかる負荷が大幅に軽減される。加えて、全熱交換器８１の排気圧力により、天井裏９の気圧が温浴室１内の気圧よりも高くされることから、温浴室１から天井裏９に湿気が入り込まず、ひいては天井裏９の建築構造体の腐食が防止されるため、天井材が温浴室１内に脱落する危険を回避できる。
【００２９】
以上、本発明に係る室内温浴関連施設の空気流通システムについて、その具体例を説明したが、室内温浴関連施設は室内プール施設に限らず、室内プールを含む室内スポーツ複合施設や大衆浴場にも適用できる。又、空調装置３を空気加熱器（暖房装置）とし、これを冬期その他の低温時にのみ運転するようにしもよい。
【図面の簡単な説明】
【００３０】
【図１】本発明に係る室内温浴関連施設として室内温水プール施設を示す縦断面図
【図２】温浴室の平面概略図
【符号の説明】
【００３１】
１  温浴室
１１  吸気口
２  温浴槽
２１  中空枠体
２１ａ  内壁部
２１ｂ  外壁部
２１ｃ  床板部
２１ｄ  底面部
２２  温水貯蔵部
２３  送風口
２４  ダクトチャンバ
２５  断熱層
３  空調装置（又は空気加熱器）
５  温浴水循環系
５１ａ  復路配管
５１ｂ  オーバー水回収配管
７  水温調節設備
７１  熱交換器（水温調節部）
８  空調空間
９  天井裏
Ｄ３  還気ダクト
Ｄ５  通気ダクト
【図１】
2010101601.tif 000003
【図２】
2010101601.tif 000004